(57)【要約】      （修正有） 【課題】家庭内にある商用電源から充電でき、緊急時や非常時に使用できる電源の提供であり、緊急時及び非常時に必要とされる機器を備え、かつ小型で高性能の家庭用電源を提供する。【解決手段】家庭用の商用電源から充電でき、家庭用電気機器に電気を供給できる二次電池を内蔵する家庭用電源装置であり、電源供給用の電源コンセント部２０と、ＵＳＢ用差込接続器のプラグ受け部３０とラジオ機構４とＬＥＤを用いたライト部５と、充電状況及び電池残量をチェックすることのできるインジケータ部６のうちの少なくとも３つを有する家庭用電源装置である。【選択図】図１
0003171114.tif 000002
【実用新案登録請求の範囲】
【請求項１】
家庭用の商用電源から充電できると共に家庭用電気機器に電気を供給できる電源として蓄電池を内蔵する家庭用電源装置において、
該家庭用電源機器の電源に二次電池を用い、
該家庭用電源機器に電源供給用の電源コンセント部２０を有すると共に、
それと共にＵＳＢ用差込接続器のプラグ受け部３０とラジオ機構４とＬＥＤを用いたライト部５と、充電状況及び電池残量をチェックすることのできるインジケータ部６のうちの少なくとも３つを有することを特徴とする家庭用電源装置。
【請求項２】
家庭用の商用電源から充電できると共に家庭用電気機器に電気を供給できる電源として蓄電池を内蔵する家庭用電源装置において、
該家庭用電源機器の電源の二次電池にリン酸鉄リチウムイオン二次電池を用いたことを特徴とする請求項１記載の家庭用電源装置。
【請求項３】
家庭用の商用電源から充電できると共に家庭用電気機器に電気を供給できる電源として蓄電池を内蔵する家庭用電源装置において、
該家庭用電源機器の電源の二次電池にリチウムイオン二次電池を用いたことを特徴とする請求項１記載の家庭用電源装置。
【請求項４】
家庭用の商用電源から充電できると共に家庭用電気機器に電気を供給できる電源として蓄電池を内蔵する家庭用電源装置において、
該家庭用電源機器の電源の二次電池にリチウムイオンポリマー二次電池を用いたことを特徴とする請求項１記載の家庭用電源装置。
【請求項５】
家庭用の商用電源から充電できると共に家庭用電気機器に電気を供給できる電源として蓄電池を内蔵する家庭用電源装置において、
該家庭用電源機器の電源の二次電池にニッケルカドミウム二次電池を用いたことを特徴とする請求項１記載の家庭用電源装置。
【請求項６】
家庭用の商用電源から充電できると共に家庭用電気機器に電気を供給できる電源として蓄電池を内蔵する家庭用電源装置において、
該家庭用電源機器の電源の二次電池にニッケル水素二次電池を用いたことを特徴とする請求項１記載の家庭用電源装置。
【考案の詳細な説明】
【技術分野】
【０００１】
本考案は、家庭用電源から充電可能な蓄電池を内蔵する家庭用電源装置に関する。
【背景技術】
【０００２】
一般家庭における電力の使用は主に電力供給者より商用電源を通して家庭内の各種電気器具を用いるものであり、商用電源は極めて重要なものである。
即ち家庭内で使用されている各種電気器具の多く即ち衣食住広範にわたる家庭内で使用されている多くの電気器具は前記した商用電源によって電源を供給されて使用するものであって、乾電池は非常用或いは極めて小電力のものに限られて使用されているものである。
【０００３】
従って、停電などによって商用電源からの電源供給が止まった場合には、家庭内の多用されている電気器具は使用できなくなるものであって、極めて不自由な状態となる。
この場合、家庭内での電源を確保するための方法として乾電池等によって、電源が担保されている懐中電灯やラジオ等の非常用のものや小電力のものしか使用できないものである。
【０００４】
しかし家庭内で使用されている各種電気器具の多く即ち衣食住広範にわたる家庭内で使用されている多くの電気器具は前記した商用電源によって電源を供給されて使用するものであって、乾電池は非常用或いは極めて小電力のものに限られて使用されているものである。
そこで家庭用の非常用電源として特開２００６‐２９６１０９号（特許文献１）及び特開２００７‐１５９３７９号（特許文献２）に示す家庭用電源装置が存在する。
【０００５】
これらは特に家庭の商用電源から電源をとり蓄電池に充電し、更に交流電源に変換して使用できる蓄電池を有する家庭用電源装置である。
【先行技術文献】
【特許文献】
【０００６】
【特許文献１】特開２００６‐２９６１０９号
【特許文献２】特開２００７‐１５９３７９号
【考案の概要】
【考案が解決しようとする課題】
【０００７】
以上の様に、家庭にある交流の商用電源から充電し、更にこの充電した電源装置から交流電源として家庭用電気機器に電気を供給できる蓄電池を有する電源装置は存在する。
しかし、これらは例えば従来から多様されている鉛蓄電池を用いた場合には極めて体積エネルギー密度が低く、蓄電池自体が多大で重量のあるものとなってしまい、使い勝手の悪いものとなる。
【０００８】
又、蓄電能力にも限界があり、複数の機器に対して電源を供給すると極めて短時間で使い切ってしまう。
更には自然放電や蓄電池の劣化等による性能低下が生じてしまい、使用時には思うように使用できないものとなりかねなかった。
そこで、鉛蓄電池などよりもより体積エネルギー密度を高めて小型で高性能の蓄電池を用い、より小型かつ高性能の使い勝手の良い家庭用電源の提供を課題とするものであり、特に高性能ゆえに蓄電池以外にも非常時に有用な各種機能を併せ有する家庭用電源装置の提供が望まれる。
【０００９】
特にこの様な家庭用電源装置が必要となる状況である非常時において、必要性の高い機器を別途用意しなくとも一体的に使用できる家庭用電源装置の提供が望まれる。
もとより、この電源装置に対しては特段の充電機構を必要とするものではなく家庭の商用電源から充電でき、かつ一般的な家庭用機器用の交流電源の供給を可能とするものであることが望まれており、係る各種課題を解決できる画期的な家庭用電源装置の提供が課題である。
【課題を解決するための手段】
【００１０】
以上のように係る課題を見事に解決するため、請求項１に係る考案は家庭用の商用電源から充電できると共に家庭用電気機器に電気を供給できる電源として蓄電池を内蔵する家庭用電源装置において、該家庭用電源機器の電源に二次電池を用い、該家庭用電源機器に電源供給用の電源コンセント部を有すると共に、ＵＳＢ用差込接続器のプラグ受け部とラジオ機構とＬＥＤを用いたライト部と、充電状況及び電池残量をチェックすることのできるインジケータ部のうちの少なくとも３つを有する家庭用電源装置からなり、係る考案によって解決できる。
【００１１】
或いは、請求項２に係る考案のように家庭用の商用電源から充電できると共に家庭用電気機器に電気を供給できる電源として蓄電池を内蔵する家庭用電源装置において、該家庭用電源機器の電源の二次電池にリン酸鉄リチウムイオン二次電池を用いた家庭用電源装置よりなるものであってもよい。
この他、請求項３に係る考案のように家庭用の商用電源から充電できると共に家庭用電気機器に電気を供給できる電源として蓄電池を内蔵する家庭用電源装置において、該家庭用電源機器の電源の二次電池にリチウムイオン二次電池を用いた家庭用電源装置でも同様に課題を解決できる。
【００１２】
更に請求項４に係る考案のように家庭用の商用電源から充電できると共に家庭用電気機器に電気を供給できる電源として蓄電池を内蔵する家庭用電源装置において、該家庭用電源機器の電源の二次電池にリチウムイオンポリマー二次電池を用いた家庭用電源装置でも、或いは請求項５に係る考案のように該家庭用電源機器の電源の二次電池にニッケルカドミウム二次電池を用いた家庭用電源装置でもよい。
或いは、請求項６に係る考案のように該家庭用電源機器の電源の二次電池にニッケル水素二次電池を用いた家庭用電源装置でもよい。
【考案の効果】
【００１３】
以上のように構成したことから家庭において使用可能な家庭用電源装置の提供ができるものであり、家庭内にある商用電源から充電できると共に緊急時や非常時に使用できる電源を提供できるものである。
特に鉛蓄電池などを用いた蓄電池と比較して非常にコンパクトにでき、更には高性能であり、使い勝手の良い家庭用電源の提供を可能とする。
【００１４】
更に請求項１に係る考案によれば家庭の商用電源から電源を供給できる電源供給用の電源コンセントを有するばかりでなく、ＵＳＢ用差込接続器のプラグ受け部とラジオ機構とＬＥＤを用いたライト部と、充電状況及び電池残量をチェックすることのできるインジケータ部のうち少なくとも３つを有するものであり、緊急時や非常時において使用頻度が高く必要性の高い機器を有するものとなる。
【００１５】
次に請求項２に係る考案により、リン酸鉄リチウムイオン二次電池を用いることができ、請求項３に係る考案によりリチウムイオン二次電池を用いることができるものであって、鉛蓄電池などに比較して、より体積エネルギー密度を高めることができるものであり、電源装置自体をより小型で蓄電量の極めて大きい蓄電池を有する家庭用電源装置の提供を可能とする。
【００１６】
更に請求項４に係る考案によればリチウムイオンポリマー二次電池、請求項５に係る考案によればニッケルカドミウム二次電池、請求項６に係る考案によればニッケル水素二次電池を用いることができ、前記と同様に電源装置自体をより小型で蓄電量の極めて大きい蓄電池を有する家庭用電源装置の提供を可能とする。
【図面の簡単な説明】
【００１７】
【図１】本考案に係る家庭用電源装置の一例を示す図
【図２】本考案に係る家庭用電源装置の一例を示す図
【図３】本考案に係る家庭用電源装置の一例を示す図
【図４】本考案に係る家庭用電源装置の一例を示す図
【図５】本考案に係る家庭用電源装置の他の一例を示す図
【考案を実施するための形態】
【００１８】
図１は、本考案に係る家庭用電源装置の本体１の一例を示す図である。
本図に示すようにも家庭内においても違和感のない外観を有する家庭用電源装置１であって、筺体内１０に電源として特に二次電池を内蔵するものである。
本図構成は一例であり、他の筺体形状を有するものであってももちろんよいものである。
更に筺体１０には他の機器に対して電源を供給するための電源コンセント部２０を有すると共に、この電源の供給である通電を制御するスイッチ２１を有する。
【００１９】
もとよりここから交流電源をとることができ、家庭用機器を稼働させることができる。
本図は電源コンセント部２０がひとつであるが、必要に応じて二か所や三か所等の複数のものを用いてもよい。
ここで電源コンセント部２０は配線用差込接続器のプラグ受け部をいうものである。
尚、通電状態を確認できるようにランプ部２２を有する。
【００２０】
更に本図においてはＵＳＢ（ユニバーサル  シリアル  バス）用コンセント部即ちＵＳＢ用差込接続器のプラグ受け部３０を有しており、更にその通電を制御するスイッチ３１を有する。
これにより他の機器とＵＳＢ接続できることとなり、このＵＳＢ用差込接続器のプラグ受け部３０を通して電源の供給ができるものとなる。
尚、これに関しても図面上ひとつであるが、必要に応じて二か所や三か所等の複数のものを用いてもよい。
茲でも同様に、通電状態を確認できるようにランプ部３２を有する。
【００２１】
次に、非常時においては必需品であるラジオ機構４を有する。
即ち、周波数チューニング部４１とボリューム調整部４２、ラジオ機構電源部４３、スピーカー部４４、ＡＭ/ＦＭ切り替えスイッチ部４５を有する。
次にライト部５を筺体の一端部である側面に有する。
更に充電状況及び電池残量をチェックすることのできるインジケータ部６、更にはこのチェックを制御するスイッチ６１を有する。
【００２２】
この様に各種機能を有する家庭用電源装置からなる。
尚、本図に示す各種機能は一例であり、他の機構を有するものであってももちろんよく、或いは茲に図示する機構の一部を有しないものであってももちろんよい。
最も必要とされるもの等に関して任意に複数の機能を該家庭用電源装置に有すればよいものである。
【００２３】
更に、筺体自体には持ち運びの取っ手部７を有している。
これにより家庭内での持ち運びの便宜が図れる。
尚、本筺体１０の両端部である側面には、それぞれ家庭の商用電源から充電するための充電用電源コンセント部８と、灯りとり用のＬＥＤ（発光ダイオード）からなるライト部５を有する。
【００２４】
図２は、図１に示す本考案に係る家庭用電源装置の一例の一端部に位置する側面図を示す図であり、家庭用の商用電源から電源を供給するための充電用電源コンセント部８を有する。
従って家庭用の商用電源と繋ぐことにより係る電源装置に電源を供給でき、内蔵する蓄電池を充電できるものである。
【００２５】
図３は、図１に示す本考案に係る家庭用電源装置の一例の他の端部に位置する側面を示す側面図であり、上部方向にＬＥＤからなるライト部５を有する。
必要に応じて近隣を明るくするためのライト等を有することにより停電・緊急時に十分な照度の確保が図れる。
尚、各種必要な照度等を有するＬＥＤでよく、スポットや拡散等の必要なレンズを必要に応じて使用するものでも、或いは一般的な他の光源からなるライト部を用いてもよく、必要に応じて必要なライト部５を有すればよい。
【００２６】
もとより、各種機器の操作部分に灯りを有するものでもよく、この場合にはライト部を用いないものでも、或いは複数個や複数種類有するものであってももちろんよい。
最もライト部自体も必要に応じて有するものであればよい。
【００２７】
図４は、図１に示す本考案に係る家庭用電源装置の一例の上面図であり、取っ手部７を示すものである。
もとより取っ手部７より全体の大きさが判明するが、電源装置としては極めて小型であり、かさばるものでもなく、かつ軽量にできているものである。
【００２８】
図５は、本考案に係る家庭用電源装置の他の一例を示す図である。
本図に示すように上部に取っ手部７を有し、筺体１０端部である一側面部にはライト部５を有する。
又筺体１０の側面部分にはスイッチ類である各種機器の操作部を有しており、本電源装置から家庭用の電気機器に対して電源を供給するための電源コンセント部２０が２つ設けてあり、又この電源の供給である通電を制御するスイッチ２１をそれぞれに有している。
【００２９】
更に、それぞれの通電状態を確認できるようにランプ部２２を有する。
次に、同様にＵＳＢ（ユニバーサル  シリアル  バス）用コンセント部であるＵＳＢ用差込接続器のプラグ受け部３０も二つ有しているものであり、この通電を制御するスイッチ３１をそれぞれ有していると共に、通電状態及び電池残量を確認できるようにランプ部３２も２つ有する。
【００３０】
又、本電源装置の充電状況をチェックすることのできるインジケータ部６とこれを制御するスイッチ６１を有する。
この様に必要に応じて任意の数量を有するものであってもよい。
尚、配置位置に関しても任意位置に有していればよいものであり、図示するものは一例である。
【００３１】
又、ラジオ機構４を有し、周波数チューニング部４１とボリューム調整部４２、ラジオ機構電源スイッチ部４３、スピーカー部４４、ＡＭ/ＦＭ切り替えスイッチ部４５を有する。
これにより必要時においてラジオを使用できることとなる。
又、ライト部５を筺体１０の一端部である側面に有する。
以上の様に極めて小型で多機能の家庭で使いやすい電源装置を提供するものである。
【００３２】
次に、本筺体１０内の電源として二次電源を用いるものであるが、リン酸鉄リチウムイオン二次電池が最適である。
これを用いることにより長寿命となり、極めて多数の充放電を繰り返しても劣化しにくく、長期間使用に耐え環境負荷も低減できる。
更にバッテリーを放電しきらない状態で充放電を繰り返してもいわゆるメモリー効果が起きないことから使用可能な容量が減少しにくいという効果を有する。
【００３３】
又、鉛蓄電池等に比較し、より体積エネルギー密度を高めることができ、小型で高性能の蓄電池を用いることができる。
これらのほか、リチウムイオン二次電池やリチウムイオンポリマー二次電池、ニッケルカドミウム二次電池或いはニッケル水素二次電池を用いるものであってよい。
これらによっても同様の効果を有するものである。
【００３４】
以上のように高性能の二次電池を用いることにより極めて効果的に充電放電機能を発揮できるものであり、コンパクトかつ軽量に構成できるばかりでなく極めて高度の性能を発揮できるものである。
尚、電池容量は対応機器等に応じて適宜必要な容量を有するものであればよい。
【符号の説明】
【００３５】
１      本体
１０    筺体
２０    電源コンセント部
２１    スイッチ
２２    ランプ部
３０    ＵＳＢ用差込接続器のプラグ受け部
３１    スイッチ
３２    ランプ部
４      ラジオ機構
４１    周波数チューニング部
４２    ボリューム調整部
４３    ラジオ機構電源スイッチ部
４４    スピーカー部
４５    ＡＭ/ＦＭ切り替えスイッチ部
５      ライト部
６      インジケータ部
６１    スイッチ
７      取っ手部
８      充電用電源コンセント部
【図１】
0003171114.tif 000003
【図２】
0003171114.tif 000004
【図３】
0003171114.tif 000005
【図４】
0003171114.tif 000006
【図５】
0003171114.tif 000007